(57)【要約】【課題】インピーダンスのばらつきをより精度良く抑制することができるツイスト線の製造方法及び製造装置を提供すること。【解決手段】本発明によるツイスト線の製造方法は、一対の電線の一方端を固定し、一対の電線の他方端を一対の電線の撚り方向及び各電線の撚り方向に解放して、一方端から他方端に向けて撚り位置を移動させながら一対の電線を左右いずれかの方向に撚ることを特徴とする。【選択図】図１
2009140877.tif 000002
【特許請求の範囲】
【請求項１】
一対の電線の一方端を固定し、前記一対の電線の他方端を当該一対の電線の撚り方向及び各電線の撚り方向に解放して、前記一方端から前記他方端に向けて撚り位置を移動させながら前記一対の電線を左右いずれかの方向に撚ることを特徴とするツイスト線の製造方法。
【請求項２】
一対の電線の一方端を固定する固定手段と、前記一対の電線の他方端を一対の電線の撚り方向及び各電線の撚り方向に解放して支持する支持手段と、前記一対の電線のそれぞれを挿通する一対の穴部を備える目板と、当該目板を左右いずれかの方向に回転させる回転手段と、前記目板及び前記回転手段を、前記一方端から前記一対の電線の他方端に向けて移動させる移動手段を備えることを特徴とするツイスト線の製造装置。
【発明の詳細な説明】
【技術分野】
【０００１】
本発明は、乗用車、トラック、バス等の車両に適用される電子装置、オフィスや家庭にて適用される電子装置相互間の電気的な接続に適用されて好適なツイスト線の製造方法及び製造装置に関する。
【背景技術】
【０００２】
一対の電線を撚って構成されるツイスト線は、一般にノイズ等の影響を受けにくく、特にノイズ発生源を随所に有する車両に適用されて好適なものである。このようなツイスト線は、製造段階において一対の電線を一体として撚る必要があり、この撚り工程において各電線の中心軸線回りの撚りが発生して、撚り工程終了後に各電線の中心軸線回りの撚りを戻そうとする力が作用する。
【０００３】
このため、撚り上がったツイスト線を構成する一対の電線間に隙間が生じて、一対の電線間の誘電率が小さくなる方向に変化して、ツイスト線としてのインピーダンスが所望の特性から外れてしまうという問題があった。このような問題を解決するツイスト線を製造する製造方法及び製造装置としては、例えば特許文献１に記載されたようなものがある。
【０００４】
この製造方法及び製造装置においては、一対の電線の一方端を固定し、他方端を各々の電線が各々の電線の中心軸線回りに拘束されないようにフォーク状の固定治具により固定した状態で、一方端側を撚ることによりツイスト線を構成することが行われており、これにより、撚り工程において各電線の中心軸線回りに撚りが発生することを防止している。
【特許文献１】特開２００１−３１９５３６号公報
【発明の開示】
【発明が解決しようとする課題】
【０００５】
ところが、このような製造方法及び製造装置においては、撚り工程において発生した撚りを戻す力の発生に起因してインピーダンスが所望の特性から外れてしまう不具合は解消できるものの、撚り工程において、一つの電線を撚る位置が一方端側に固定されているため、例えば１０００ｍｍ長の一対の電線を２５ｍｍピッチで４０回撚る工程を行った場合に、ツイスト線の一方端から他方端に向けての長さ方向にわたってのピッチ相互間においてばらつきが生じて、これにより、一対の電線相互間の距離が一方端から他方端に向けてばらつき、これによりツイスト線のインピーダンスがばらつくという不具合を防止することができないという問題があった。このような問題は、ツイスト線の長さが長くなればなるほど大きくなる。
【０００６】
本発明は、上記問題に鑑み、インピーダンスのばらつきをより精度良く抑制することができるツイスト線の製造方法及び製造装置を提供することを目的とする。
【課題を解決するための手段】
【０００７】
上記の問題を解決するため、本発明に係るツイスト線の製造方法は、
一対の電線の一方端を固定し、前記一対の電線の他方端を当該一対の電線の撚り方向及び各電線の撚り方向に解放して、前記一方端から前記他方端に向けて撚り位置を移動させながら前記一対の電線を左右いずれかの方向に撚ることを特徴とする。なお各電線の撚り方向とは、各電線の中心軸線回りの撚り方向である。
【０００８】
これによれば、前記一対の電線の固定された一方端から、前記一対の電線を撚りながら、撚り位置を前記一方端から他方端に向けて移動させるので、例えば、一回転撚る毎に撚りのピッチだけ前記一方端から他方端に向けて前記撚り位置を移動させることで、前記一対の電線の内、一ピッチに相当する部分毎に撚り力を均等に付与することができ、前記一方端から前記他方端に到るまでの前記一対の電線の撚りのピッチを均一化させて、ピッチがツイスト線の長さ方向においてばらつくことを防止することができる。
【０００９】
これにより、前記一対の電線を撚って製造されたツイスト線の撚りのピッチを均一化して、個々のツイスト線相互間のインピーダンスのばらつきを防止することができる。加えて、前記一対の電線の他方端は、当該一対の電線の撚り方向及び各電線の撚り方向に解放しているので、前記一対の電線を撚ることにより、各電線の中心軸線回りの撚りが発生することも防止できるので、撚り工程終了後に各電線の中心軸線回りの撚りを戻そうとする力が作用して、撚り上がったツイスト線を構成する一対の電線間に隙間が生じて、一対の電線間の誘電率が小さくなる方向に変化して、ツイスト線としてのインピーダンスが所望の特性から外れてしまうと言う不具合が発生することをも防止することができる。
【００１０】
また、上記ツイスト線の製造方法を実現しうる本発明に係わるツイスト線の製造装置は、
一対の電線の一方端を固定する固定手段と、前記一対の電線の他方端を一対の電線の撚り方向及び各電線の撚り方向に解放して支持する支持手段と、前記一対の電線のそれぞれを挿通する一対の穴部を備える目板と、当該目板を左右いずれかの方向に回転させる回転手段と、前記目板及び前記回転手段を、前記一方端から前記一対の電線の他方端に向けて移動させる移動手段を備えることを特徴とする。
【００１１】
これによれば、前述した個々のツイスト線相互間のインピーダンスのばらつきを防止できるツイスト線の製造方法を、比較的簡易な製造装置により実現することができる。すなわち、前記回転手段により前記一対の電線を一回転撚る毎に、前記移動手段により前記目板及び前記回転手段を撚りのピッチだけ移動させることにより、前記ツイスト線の製造方法を実現することができる。
【００１２】
加えて、前記一対の電線の他方端を一対の電線の撚り方向及び各電線の撚り方向に解放して支持する前記支持手段を備えることにより、前記一対の電線の他方端をそれぞれ一対のチャック等の第二の固定手段により固定した上で、この一対の第二の固定手段を一体的に前記目板の回転方向と同方向に回転させる第二の回転手段と、個々の第二の固定手段を前記目板の回転方向と逆方向に回転させる第三の回転手段を設ける必要性を廃して、ツイスト線の製造装置の構造を簡略化してより安価な費用により構成することができる。
【発明の効果】
【００１３】
本発明によれば、インピーダンスのばらつきをより精度良く抑制することができるツイスト線の製造方法及び製造装置を提供することができる。
【発明を実施するための最良の形態】
【００１４】
以下、本発明を実施するための最良の形態について、添付図面を参照しながら説明する。
【実施例】
【００１５】
図１は、本発明に係わるツイスト線の製造方法を実現可能なツイスト線の製造装置の一実施形態を示す模式図であり、図２は、本発明に係わるツイスト線の製造装置の撚り工程における一実施形態を示す模式図である。
【００１６】
本発明に係わるツイスト線の製造装置１は、クランプ２と、目板３と、目板３の外周面に設けられたギヤ３ａと噛み合うギヤ４と、ギヤ４を回転するモータ５と、目板３とギヤ４及びモータ５を長さ方向に引き揃えられた一対の電線Ａ、Ｂの図１中右側の一方端から他方端に移動させるボールネジ機構６と、ボールネジ機構６のネジを回転するモータ７と、拘束環８を備えて構成される。
【００１７】
クランプ２は一対の電線Ａ、Ｂの一方端を固定する固定手段を構成するものであり、図１中右側の電線Ａ、Ｂの一方端において図示しない床面に固定される。
【００１８】
目板３は、円板状に構成されその外周面にギヤ３ａが形成されるとともに、中心軸線から所定の距離だけ径方向反対側に離隔した位置に、一対の電線Ａ、Ｂのそれぞれを独立して遊間を有して挿通する一対の穴部３ｂを備え、図示しない床面に固定された、一対の電線Ａ、Ｂの長さ方向に延在する軸により回転自在に支持される。
【００１９】
ギヤ４及びモータ５は、目板３を左右いずれかの方向に回転させる回転手段を構成し、ボールネジ機構６及びモータ７は、目板３とギヤ４及びモータ５を、一対の電線Ａ、Ｂの図１中右側の一方端から図１中左側の他方端に向けて移動させる移動手段を構成する。
【００２０】
拘束環８は、一対の電線Ａ、Ｂの他方端近傍の床面に固定され、一対の電線Ａ、Ｂの他方端が挿通されて、一対の電線Ａ、Ｂの他方端を一対の電線Ａ、Ｂの撚り方向及び各電線Ａ、Ｂの撚り方向に解放して支持する支持手段を構成するとともに、ツイスト線の撚り工程において目板３の回転に伴って、遠心力により、一対の電線Ａ、Ｂの他方端が放射状に拡径してしまうことを、外周側から拘束することにより防止している。
【００２１】
このように構成される製造装置１において、モータ５によりギヤ４及び目板３を回転させて、一対の電線Ａ、Ｂを一回転撚る毎に、モータ７を回転させることにより、目板３とギヤ４及びモータ５を撚りのピッチだけ移動させるように、モータ５及びモータ７の回転数及びギヤ３ａとギヤ４のギヤ比を設定する。
【００２２】
すなわち、本実施例の製造装置１においては、一対の電線Ａ、Ｂの一方端つまりは図１中右側を固定し、一対の電線Ａ、Ｂの他方端をつまり図１中左側を一対の電線Ａ、Ｂの撚り方向及び各電線Ａ、Ｂの撚り方向に解放して、図２に示すように、一対の電線Ａ、Ｂの一方端から他方端に向けて目板３つまりは撚り位置を移動させながら、一対の電線Ａ、Ｂを左右いずれかの方向に撚ることができ、これによりツイスト線が製造される。
【００２３】
このようなツイスト線の製造方法によれば、一対の電線Ａ、Ｂの固定された一方端から、一対の電線Ａ、Ｂを撚りながら、撚り位置を一方端から他方端に向けて移動させて、一回転撚る毎に撚りのピッチだけ一方端から他方端に向けて撚り位置を移動させることで、一対の電線Ａ、Ｂの内、一ピッチに相当する部分毎に目板３から一対の電線Ａ、Ｂに対して撚り力を均等に付与することができる。
【００２４】
従って、一対の電線Ａ、Ｂの一方端から他方端に到るまでの、一対の電線Ａ、Ｂの撚りのピッチを均一化させて、ピッチがツイスト線の長さ方向においてばらつくことを防止することができる。
【００２５】
これにより、一対の電線Ａ、Ｂを撚って製造されたツイスト線の撚りのピッチを均一化して、製造された複数のツイスト線において、個々のツイスト線相互間のインピーダンスのばらつきを防止することができる。
【００２６】
加えて、一対の電線Ａ、Ｂの他方端を一対の電線Ａ、Ｂの撚り方向及び各電線Ａ、Ｂの撚り方向に解放しているので、一対の電線Ａ、Ｂを撚ることにより、各電線Ａ、Ｂの中心軸線回りの撚りが発生することも防止できるので、撚り工程終了後に各電線Ａ、Ｂの中心軸線回りの撚りを戻そうとする力が作用して、撚り上がったツイスト線を構成する一対の電線Ａ、Ｂ間に隙間が生じ、一対の電線Ａ、Ｂ間の誘電率が小さくなる方向に変化して、ツイスト線としてのインピーダンスが所望の特性から外れてしまうことをも防止することができる。
【００２７】
このようなツイスト線の製造方法によれば、製造するツイスト線が長く、一対の電線Ａ、Ｂの一方端と他方端との距離が長い場合において、ツイスト線の撚りのピッチを長さ方向に均一化することができるので、製造された複数のツイスト線において、ツイスト線相互間のインピーダンスのばらつきを防止する要請が高い場合において特に有効である。
【００２８】
特に車両のＣＡＮ（Controller  Area  Network）等の通信規格に用いられるツイスト線はインピーダンスの特性のばらつきを抑制することに対しての要求が高いので、このようなツイスト線の製造にあたっては本実施例の製造方法がさらに有効である。
【００２９】
また、本発明に係わるツイスト線の製造装置１を上述したように構成することで、本発明に係わる個々のツイスト線相互間のインピーダンスのばらつきを防止できるツイスト線の製造方法を、比較的簡易な製造装置１により実現することができる。
【００３０】
加えて、一対の電線Ａ、Ｂの他方端を一対の電線Ａ、Ｂの撚り方向及び各電線Ａ、Ｂの撚り方向に解放して支持する拘束環８を備えることにより、一対の電線Ａ、Ｂの他方端をそれぞれ一対のチャックにより固定した上で、この一対のチャックを一体的に目板３の回転方向と同方向に回転させる回転板及びモータと、個々のチャックを目板３の回転方向と逆方向に回転させるモータを設けて、目板３と一対の電線Ａ、Ｂの他方端との間における撚りを防止して、一対の電線Ａ、Ｂの個々の撚りを防止する必要性を廃して、ツイスト線の製造装置１の構造を簡略化してより安価な費用により構成することができる。つまり、より安価に本実施例のツイスト線の製造方法を実施することができ、ツイスト線のインピーダンスを所望の特性とする効果を得ることができる。
【００３１】
以上本発明の好ましい実施例について詳細に説明したが、本発明は上述した実施例に制限されることなく、本発明の範囲を逸脱することなく、上述した実施例に種々の変形および置換を加えることができる。
【００３２】
例えば、上述した実施例においては、モータ５によりギヤ４及び目板３を回転させて、一対の電線Ａ、Ｂを一回転撚る毎に、モータ７を回転させることにより、目板３とギヤ４及びモータ５を撚りのピッチだけ移動させるように、モータ５及びモータ７の回転数及びギヤ３ａ及びギヤ４のギヤ比を設定したが、モータ５とモータ７を同時に回転させることは必須ではなく、一対の電線Ａ、Ｂを一回転撚った後、モータ７を回転させて目板３を撚りのピッチだけ移動させるというように、モータ５とモータ７の回転を交互に行うようにしてもよい。
【産業上の利用可能性】
【００３３】
本発明は、インピーダンスのばらつきをより精度良く抑制することができるツイスト線の製造方法及び製造装置に関するものであり、比較的軽微な変更により、所望の効果を得ることができるので、乗用車、トラック、バス等の様々な車両に用いられるツイスト線はもとより家庭用、オフィス用、産業上の電子機器に用いられるツイスト線に適用して有益なものである。
【図面の簡単な説明】
【００３４】
【図１】本発明に係るツイスト線の製造方法及び製造装置の一実施形態を示す模式図である。
【図２】本発明に係るツイスト線の製造方法及び製造装置の一実施形態を示す模式図である。
【符号の説明】
【００３５】
１      ツイスト線の製造装置
２      クランプ
３      目板
３ａ    ギヤ
３ｂ    穴部
４      ギヤ
５      モータ
６      ボールネジ機構
７      モータ
８      拘束環
【図１】
2009140877.tif 000003
【図２】
2009140877.tif 000004